(57)【要約】【課題】  一枚のベースフィルムに、独立した２つ（又は３ないし９）の非接触ＩＣタグ回路を配置し、情報記録の確実性を担保できる情報記録媒体等を提供する。【解決手段】  本情報記録媒体の第１は、連続した一枚のベースフィルム３面に、アンテナ構造１２ａ，１２ｂと当該アンテナ構造に非接触通信機能部、制御部およびメモリを備えるＩＣチップ１３ａ，１３ｂが結合した実質的に同一特性の独立した２つの非接触ＩＣタグ回路１０ａ，１０ｂが隣接して配置されていることを特徴とし、本情報記録媒体の第２は、連続した一枚のベースフィルム面に、アンテナ構造と当該アンテナ構造に非接触通信機能部、制御部およびメモリを備えるＩＣチップが結合した実質的に同一特性の独立した３ないし９の非接触ＩＣタグ回路が隣接して配置されていることを特徴とする。  本情報記録媒体１は、重複記録や分散記録等各種の使用方法に用いることができる。【選択図】    図１
2006330961.tif 000002
【特許請求の範囲】
【請求項１】
連続した一枚のベースフィルム面に、アンテナ構造と当該アンテナ構造に結合した非接触通信機能部、制御部およびメモリを備えるＩＣチップと、を有し実質的に同一特性の独立した２つの非接触ＩＣタグ回路が隣接して配置されていることを特徴とする情報記録媒体。
【請求項２】
非接触ＩＣタグ回路が受送信する電波に対して指向性を有し、２つの非接触ＩＣタグ回路が同一指向方向になるように並列して配置されていることを特徴とする請求項１記載の情報記録媒体。
【請求項３】
非接触ＩＣタグ回路が受送信する電波に対して指向性を有し、２つの非接触ＩＣタグ回路が互いに直交する指向方向になるように配置されていることを特徴とする請求項１記載の情報記録媒体。
【請求項４】
連続した一枚のベースフィルム面に、アンテナ構造と当該アンテナ構造に結合した非接触通信機能部、制御部およびメモリを備えるＩＣチップと、を有し実質的に同一特性の独立した３ないし９の非接触ＩＣタグ回路が隣接して配置されていることを特徴とする情報記録媒体。
【請求項５】
非接触ＩＣタグ回路が受送信する電波に対して指向性を有し、全ての非接触ＩＣタグ回路が同一指向方向になるように並列して配置されていることを特徴とする請求項４記載の情報記録媒体。
【請求項６】
非接触ＩＣタグ回路が受送信する電波に対して指向性を有し、隣接する２つの非接触ＩＣタグ回路間の指向方向が互いに直交する方向になるように配置されていることを特徴とする請求項４記載の情報記録媒体。
【請求項７】
非接触ＩＣタグ回路が受送信する電波に対して指向性を有し、全ての非接触ＩＣタグ回路が異なる指向方向になるように配置されていることを特徴とする請求項４記載の情報記録媒体。
【請求項８】
アンテナ構造が平面状の捲線コイルアンテナか、平面状のダイポールアンテナであることを特徴とする請求項１ないし請求項７のいずれか１の請求項に記載の情報記録媒体。
【請求項９】
請求項１ないし請求項３のいずれか１の請求項に記載の情報記録媒体を被着体に貼着してから、リーダライタによる読み取り書き込みを行い、同一リーダライタからの同一の情報を２つの非接触ＩＣタグ回路のＩＣチップに実質的に同時に重複して記録することを特徴とする情報記録媒体の使用方法。
【請求項１０】
請求項４ないし請求項７のいずれか１の請求項に記載の情報記録媒体を被着体に貼着してから、リーダライタによる読み取り書き込みを行い、同一リーダライタからの同一の情報を３ないし９の非接触ＩＣタグ回路のＩＣチップに実質的に同時に重複して記録することを特徴とする情報記録媒体の使用方法。
【請求項１１】
請求項１ないし請求項３のいずれか１の請求項に記載の情報記録媒体を被着体に貼着してから、リーダライタによる読み取り書き込みを行い、同一リーダライタからの情報を２つの非接触ＩＣタグ回路のＩＣチップに分散して記録することを特徴とする情報記録媒体の使用方法。
【請求項１２】
請求項４ないし請求項７のいずれか１の請求項に記載の情報記録媒体を被着体に貼着してから、リーダライタによる読み取り書き込みを行い、同一リーダライタからの情報を３ないし９の非接触ＩＣタグ回路のＩＣチップに分散して記録することを特徴とする情報記録媒体の使用方法。
【請求項１３】
請求項１ないし請求項３のいずれか１の請求項に記載の情報記録媒体を被着体に貼着してから、リーダライタによる読み取り書き込みを行い、同一の情報を２つの非接触ＩＣタグ回路に記録させ、最初の書き込みがされた後に書き込みがされた非接触ＩＣタグ回路のＩＣチップには、直前に当該リーダライタが読み取りし書き込みしたＩＣチップのユニーク番号を記録することを特徴とする情報記録媒体の使用方法。
【請求項１４】
請求項４ないし請求項７のいずれか１の請求項に記載の情報記録媒体を被着体に貼着してから、リーダライタによる読み取り書き込みを行い、同一の情報を３ないし９の非接触ＩＣタグ回路に記録させ、最初の書き込みがされた後に書き込みがされた非接触ＩＣタグ回路のＩＣチップには、直前に当該リーダライタが読み取りし書き込みしたＩＣチップのユニーク番号を記録することを特徴とする情報記録媒体の使用方法。
【請求項１５】
連続した一枚のベースフィルム面に、アンテナ構造と当該アンテナ構造に結合した非接触通信機能部、制御部およびメモリを備えるＩＣチップと、を有し実質的に同一特性の独立した２ないし９の非接触ＩＣタグ回路が隣接して配置されている情報記録媒体を被着体に貼着してから、リーダライタによる読み取り書き込みを行い、同一の情報を２ないし９の非接触ＩＣタグ回路に実質的に記録させ、最初の書き込みがされた後に書き込みがされた非接触ＩＣタグ回路のＩＣチップには、直前に当該リーダライタが読み取りし書き込みしたＩＣチップのユニーク番号を記録することにより、当該被着体の当該リーダライタに対する進行方向を取得することを特徴とする情報記録媒体の使用方法。
【発明の詳細な説明】
【技術分野】
【０００１】
本発明は、情報記録媒体と当該情報記録媒体の使用方法に関する。詳しくは、連続した一枚のベースフィルム面に独立した２つの非接触ＩＣタグ回路が隣接して配置されているか、３ないし９の非接触ＩＣタグ回路が隣接して配置されている特徴がある情報記録媒体に関する。このような情報記録媒体は同一の被着体（物品）に貼着して同時に使用できるので、特有の使用効果を発揮することができる。
本発明の情報記録媒体は、通常の非接触ＩＣタグとして用いられるが、特に情報の欠損が問題となるシステム等に用いて信頼度を高める用途に好適に用いられるものである。
【０００２】
本発明の情報記録媒体の使用方法は、上記情報記録媒体を被着体（物品）に貼着して、同一の情報を実質的に同時に記録するので、情報の記録間違いを生じることがない。また、後に記録された情報記録媒体に直前にリーダライタが読み取りしたＩＣチップのユニーク番号を記録することで、情報媒体の進行方向等を識別することができる。
本発明の情報記録媒体の利用分野は、運送や流通、販売管理、工場工程管理、商品の配送や荷物の取り扱い、イベントの分野であり、具体的な用途としては荷札、ラベル、伝票、チケット類、となる。
【背景技術】
【０００３】
非接触ＩＣタグは、情報を記録して保持し非接触で外部装置と交信して情報交換できるので、運送や物流等における認識媒体として、あるいは商品の品質管理、在庫管理等の識別媒体のように、各種目的に多用されるようになってきている。
しかし、非接触ＩＣタグに用いられる集積回路（ＩＣチップ）は精密部品であり、ある意味では脆弱な電子機器であるため、激しい取り扱いや劣悪な環境条件の下ではＩＣチップに不具合が生じて、データの欠損が生じる場合がある。また、情報交換後に、ＩＣチップが破損する場合も生じる。一方、非接触ＩＣタグ側に欠陥がなくても通信条件等により必ずしも確実な情報交換がされるものとは限らない。
【０００４】
またさらに、リーダライタから受信する情報量が大量であって、一つの非接触ＩＣタグのみでは情報を記録しきれない場合も生じて、データが欠損する場合もある。
かかるデータ欠損が生じる場合は、システム全体の信頼性が低下し、ひいては非接触ＩＣタグの利用そのものを断念することにもなりかねない。
そこで、情報の記録に冗長性を持たせて記録し、多少のコスト増は見込まれるものの、データの信頼性を高めることができる非接触ＩＣタグ（情報記録媒体）が求められることがある。しかし、従来、そのような非接触ＩＣタグは市場に提供されていない。
【０００５】
そこで従来から、バックアップ用として非接触ＩＣタグを２枚貼着したり、非接触ＩＣタグに目視可能なコード、例えばバーコードや２次元バーコード、ＯＣＲ等を表面に設けてバックアップすることも行われている。しかし、複数枚の同一の非接触ＩＣタグを準備して貼着することは手間がかかるし、複数種の情報を読み取りする場合も時間がかかり利便性が低下する問題がある。そこで、連続した一枚のベースフィルム面に独立した２以上の非接触ＩＣタグ回路を設けることが考えられる。
【０００６】
このような技術として特許文献１は、複数のＩＣモジュールを独立してカード基材に設けたＩＣカードを提案しているが、接触型ＩＣカードであり、もとより非接触ＩＣタグに関するものではない。特許文献２も同様なＩＣカードを提案しているが、非接触ＩＣタグに関するものではない。特許文献３は、単一のＩＣチップに対して平面状コイルとコンデンサからなる複数の共振ユニットを有する非接触ＩＣカードを提案している。しかし、このもののＩＣチップは一個であるから複数の非接触ＩＣタグを有するものとは相違している。
【０００７】
【特許文献１】特開昭５８−１３４４４５６公報
【特許文献２】実開昭６１−１０７０６２号公報
【特許文献３】特開２００１−１０９８６１号公報
【０００８】
一方、情報処理の分野では、１のコンピュータシステムに対して外部記憶媒体を複数台設け、情報の記録に冗長性を持たせシステムの信頼性を高めることや分散して記録することが従来から行われている。いわゆるミラーリングやストライピングといわれる技術である。ミラーリングは複数の外部記憶媒体（ハードディスク）に同一情報を重複記録して、万一、一方のハードディスクが不具合となっても他方のハードディスクから読み出そうとするものである。ストライピングは、複数のディスクを１台のディスクと同じように扱うものである。ディスクからへの書き込みや読み出し処理を複数のディスクに分散し、同時並行的に実行することで、アクセス速度を高速化する、あるいは大容量化を図るものである。本願発明も本質的にはこれらの効果を目的とするものであるが、非接触ＩＣタグとして独特の使用方法を行うこともできる。
【発明の開示】
【発明が解決しようとする課題】
【０００９】
従来の非接触ＩＣタグは、一枚のベースフィルム面に、１のアンテナ構造とそれに結合したＩＣチップを有するのが通常の形態である。したがって、当該非接触ＩＣタグに情報記録した場合、使用状態においてＩＣタグに不具合を生じるか、間違ったデータ記録がされた場合は、読み取りが不可能になるか間違ったデータが読み取りされる問題があった。  このような場合は、被着した物品や個人の認証ができなくなる問題がある。したがって、重要な情報であってデータの冗長性を持たせて記録したい場合、あるいは大量の情報を受信する場合は、同一特性の複数の非接触ＩＣタグを選んで使用する必要があり、手間がかかる問題があった。また、ＩＣチップへの記録と同時に可視情報を記録する場合は、複数装置が必要になることや書き込みや認識に時間や手間がかかり、実用的には問題が多いものであった。
【００１０】
また、非接触ＩＣタグの特殊な利用方法をする場合、例えば、物品に２以上の非接触ＩＣタグを貼着して、リーダライタにより読み取られる順序により、物品の進行方向を取得したい場合、あるいは進行方向を制御したい場合、等にも複数の非接触ＩＣタグを使用する必要があり、同様に手間がかかる問題があった。
そこで本発明では、一枚のベースフィルムに複数の同一特性の非接触ＩＣタグ回路を保持させれば、問題を解決できることを着想して本発明の完成に至ったものである。
【課題を解決するための手段】
【００１１】
上記課題を解決する本発明の要旨の第１は、連続した一枚のベースフィルム面に、アンテナ構造と当該アンテナ構造に結合した非接触通信機能部、制御部およびメモリを備えるＩＣチップと、を有し実質的に同一特性の独立した２つの非接触ＩＣタグ回路が隣接して配置されていることを特徴とする情報記録媒体、にある。
【００１２】
上記情報記録媒体において、非接触ＩＣタグ回路が受送信する電波に対して指向性を有し、２つの非接触ＩＣタグ回路を同一指向方向になるように並列して配置してもよく、２つの非接触ＩＣタグ回路を互いに直交する指向方向になるように配置してもよい。
また、アンテナ構造は平面状の捲線コイルアンテナであっても、平面状のダイポールアンテナであってもよい。
【００１３】
本発明の要旨の第２は、連続した一枚のベースフィルム面に、アンテナ構造と当該アンテナ構造に結合した非接触通信機能部、制御部およびメモリを備えるＩＣチップと、を有し実質的に同一特性の独立した３ないし９の非接触ＩＣタグ回路が隣接して配置されていることを特徴とする情報記録媒体、にある。
【００１４】
上記情報記録媒体において、非接触ＩＣタグ回路が受送信する電波に対して指向性を有し、全ての非接触ＩＣタグ回路を同一指向方向になるように並列して配置してもよく、隣接する２つの非接触ＩＣタグ回路間の指向方向を互いに直交する方向になるように配置してもよく、全ての非接触ＩＣタグ回路が異なる指向方向になるように配置してもよい。また、アンテナ構造は平面状の捲線コイルアンテナであっても、平面状のダイポールアンテナであってもよい。
【００１５】
本発明の要旨の第３は、上記請求項１ないし請求項３のいずれか１の請求項に記載の情報記録媒体を被着体に貼着してから、リーダライタによる読み取り書き込みを行い、同一リーダライタからの同一の情報を２つの非接触ＩＣタグ回路のＩＣチップに実質的に同時に重複して記録することを特徴とする情報記録媒体の使用方法、にある。
【００１６】
本発明の要旨の第４は、上記請求項４ないし請求項７のいずれか１の請求項に記載の情報記録媒体を被着体に貼着してから、リーダライタによる読み取り書き込みを行い、同一リーダライタからの同一の情報を３ないし９の非接触ＩＣタグ回路のＩＣチップに実質的に同時に重複して記録することを特徴とする情報記録媒体の使用方法、にある。
【００１７】
本発明の要旨の第５は、上記請求項１ないし請求項３のいずれか１の請求項に記載の情報記録媒体を被着体に貼着してから、リーダライタによる読み取り書き込みを行い、同一リーダライタからの情報を２つの非接触ＩＣタグ回路のＩＣチップに分散して記録することを特徴とする情報記録媒体の使用方法、にある。
【００１８】
本発明の要旨の第６は、上記請求項４ないし請求項７のいずれか１の請求項に記載の情報記録媒体を被着体に貼着してから、リーダライタによる読み取り書き込みを行い、同一リーダライタからの情報を３ないし９の非接触ＩＣタグ回路のＩＣチップに分散して記録することを特徴とする情報記録媒体の使用方法、にある。
【００１９】
本発明の要旨の第７は、上記請求項１ないし請求項３のいずれか１の請求項に記載の情報記録媒体を被着体に貼着してから、リーダライタによる読み取り書き込みを行い、同一の情報を２つの非接触ＩＣタグ回路に記録させ、最初の書き込みがされた後に書き込みがされた非接触ＩＣタグ回路のＩＣチップには、直前に当該リーダライタが読み取りし書き込みしたＩＣチップのユニーク番号を記録することを特徴とする情報記録媒体の使用方法、にある。
【００２０】
本発明の要旨の第８は、上記請求項４ないし請求項７のいずれか１の請求項に記載の情報記録媒体を被着体に貼着してから、リーダライタによる読み取り書き込みを行い、同一の情報を３ないし９の非接触ＩＣタグ回路に記録させ、最初の書き込みがされた後に書き込みがされた非接触ＩＣタグ回路のＩＣチップには、直前に当該リーダライタが読み取りし書き込みしたＩＣチップのユニーク番号を記録することを特徴とする情報記録媒体の使用方法、にある。
【００２１】
本発明の要旨の第９は、連続した一枚のベースフィルム面に、アンテナ構造と当該アンテナ構造に結合した非接触通信機能部、制御部およびメモリを備えるＩＣチップと、を有し実質的に同一特性の独立した２ないし９の非接触ＩＣタグ回路が隣接して配置されている情報記録媒体を被着体に貼着してから、リーダライタによる読み取り書き込みを行い、同一の情報を２ないし９の非接触ＩＣタグ回路に実質的に記録させ、最初の書き込みがされた後に書き込みがされた非接触ＩＣタグ回路のＩＣチップには、直前に当該リーダライタが読み取りし書き込みしたＩＣチップのユニーク番号を記録することにより、当該被着体の当該リーダライタに対する進行方向を取得することを特徴とする情報記録媒体の使用方法、にある。
【発明の効果】
【００２２】
本発明の情報記録媒体は、連続した一枚のベースフィルム面に、２以上の同一特性の非接触ＩＣタグ回路が隣接して配置されているので、同一情報を２以上の非接触ＩＣタグに重複して記録することができ、万一、通信状況が悪化したり、非接触ＩＣタグに不具合が生じても、あるいは書き込み後にデータの損壊が生じても、いずれかの非接触ＩＣタグに記録することができ、またはデータの残存するＩＣチップの情報を読み取りすることができるので、データの欠損が生じることが少ない。
本発明の情報記録媒体は、非接触ＩＣタグが指向性を有する場合に、２以上の非接触ＩＣタグ回路の指向方向が異なる方向に配置されている場合には、いずれかの非接触ＩＣタグ回路がより良好な通信状態を確保できるので、劣悪な通信状態であっても情報の授受に欠損を生じることが少なくなる。
【００２３】
本発明の情報記録媒体の使用方法（請求項９、請求項１０）によれば、２以上の非接触ＩＣタグ回路の各ＩＣチップに、同一リーダライタからの同一の情報を実質的に同時に重複して記録できるので、書き込み不良やデータの損壊が生じても欠損を生じることがなく、信頼性を高めることができる。
本発明の情報記録媒体の使用方法（請求項１１、請求項１２）によれば、２以上の非接触ＩＣタグ回路の各ＩＣチップに、同一リーダライタからの情報を実質的に同時に分散して記録できるので、データ量が大きくなる場合も情報の欠損を生じることが少なく、信頼性を高めることができる。
【００２４】
本発明の情報記録媒体の使用方法（請求項１３、請求項１４）によれば、２以上の非接触ＩＣタグ回路の各ＩＣチップに同一の情報を実質的に同時に記録でき、最初の書き込みがされた後に書き込みがされた非接触ＩＣタグ回路のＩＣチップには、直前に当該リーダライタが読み取りし書き込みしたＩＣチップのユニーク番号を後の非接触ＩＣタグ回路のＩＣチップに記録するので、データの書き込み順序を知ることができ、これにより各種の情報解析をすることができる。
本発明の情報記録媒体の使用方法（請求項１５）によれば、被着体（物品）に情報記録媒体を貼着して、その進行方向を管理できるので、製造物や搬送物の処理や管理を誤ることがなくなる。
【発明を実施するための最良の形態】
【００２５】
本発明の情報記録媒体について、以下図面を参照して説明する。
図１は、本発明の情報記録媒体の第１実施形態の例を示す平面図、図２は、図１の断面図、図３は、第１実施形態の他の例を示す平面図、図４、図５、図６、図７、図８、図９は、第２実施形態の各種例を示す平面図、図１０は、本発明の情報記録媒体の使用方法を説明する図、である。
【００２６】
図１は、本発明の情報記録媒体の第１実施形態の例を示す平面図である。
図１のように、本発明の情報記録媒体１は、連続した一枚のベースフィルム３面に、２つの非接触ＩＣタグ回路１０ａ，１０ｂが形成されている。非接触ＩＣタグ回路１０ａは、アンテナ構造１２ａと当該アンテナ構造に結合したＩＣチップ１３ａを有し、非接触ＩＣタグ回路１０ｂはアンテナ構造１２ｂと当該アンテナ構造に結合したＩＣチップ１３ｂを有している。ＩＣチップ１３ａ，１３ｂは、非接触通信機能部と制御部および情報記憶用のメモリを備える通常のものである。ＩＣチップ１３ａ，１３ｂはアンテナの端部ｔ１，ｔ２に装着されている。アンテナ構造１２ａ，１２ｂは、図１の場合、平面状の捲線コイル状にされているが、平面状のダイポール型やパッチアンテナ型のものであってもよい。これら２つの非接触ＩＣタグ回路１０ａ，１０ｂは実質的に同一特性であるように調整され、相互に電気的に接続せず干渉も生じないようにされている。
【００２７】
図２は、図１のＩＣチップ１３ａ，１３ｂをとおる部分の断面図である。
本発明の情報記録媒体１は、ベースフィルム３のアンテナ構造１２ａ，１２ｂ面には、通常は接着剤層５を介してプラスチックフィルムまたは紙基材からなる表面基材４により被覆されている。アンテナ構造１２ａ，１２ｂやＩＣチップ１３ａ，１３ｂが直接外面に露出しないようにするためである。ただし、表面基材４は必須の構成ではない。
図示の都合上、アンテナパターン１２ａ，１２ｂと接着剤層５との間は、隙間が空いているように見えるが実際は密着しているものである。
以上の構成は、２つの非接触ＩＣタグ回路を有すること以外は、通常の非接触ＩＣタグと同様のものである。ベースフィルム３の下面には、情報記録媒体１を被着体（物品）に貼着するための粘着剤層６を有し、剥離紙７で保護されているのが通常である。
【００２８】
図３は、第１実施形態の他の例を示す平面図である。図３のように、当該情報記録媒体１も、連続した一枚のベースフィルム３面に、２つの非接触ＩＣタグ回路１０ａ，１０ｂが形成されている。非接触ＩＣタグ回路１０ａはアンテナ構造１２ａと当該アンテナの端部ｔ１，ｔ２に結合したＩＣチップ１３ａを有し、非接触ＩＣタグ回路１０ｂはアンテナ構造１２ｂと当該アンテナの端部ｔ１，ｔ２に結合したＩＣチップ１３ｂを有している。  図１の情報記録媒体１が、２つの非接触ＩＣタグ回路１０ａ，１０ｂが同一方向に並行して配置されているのに対し、図３の場合は、２つの非接触ＩＣタグ回路１０ａ，１０ｂが直交する方向に配置されている違いがある。
【００２９】
このように配置を直交させる場合は、非接触ＩＣタグ回路１０ａが受送信する電波に対して矢印Ｙ１の方向に指向性を有する場合に、非接触ＩＣタグ回路１０ｂの電波に対する指向性は矢印Ｙ２の方向になり、異なる指向性を持たせられる利点がある。受信状態が良好でない場合にもいずれかの非接触ＩＣタグ回路がリーダライタとの間で、より良好な状態で受送信できることになる。指向性とはアンテナの方向に対する放射の強さをいうが、三次元の空間に放射されるため平面的に表せるものではないが、図３では、便宜的に矢印Ｙ１，Ｙ２を平面上に表示している。どのうようなアンテナ構造であっても多少の指向性を有するものである。
【００３０】
図４〜図９は、第２実施形態の情報記録媒体２の例を示す平面図である。第２実施形態では、連続した一枚のベースフィルム３面に、３ないし９の非接触ＩＣタグ回路が隣接して形成されている特徴がある。上限を９とする特別な理由はないが、１０以上にもする必要性を特に認められないからである。
図４の場合は３つの非接触ＩＣタグ回路のものを示している。図４のように、情報記録媒体２は、連続した一枚のベースフィルム３面に、３つの非接触ＩＣタグ回路２０ａ，２０ｂ，２０ｃが形成されている。非接触ＩＣタグ回路２０ａはアンテナ構造２２ａと当該アンテナ構造に結合したＩＣチップ２３ａを有し、非接触ＩＣタグ回路２０ｂはアンテナ構造２２ｂと当該アンテナ構造に結合したＩＣチップ２３ｂを有し、非接触ＩＣタグ回路２０ｃはアンテナ構造２２ｃと当該アンテナ構造に結合したＩＣチップ２３ｃを有している。ＩＣチップ２３ａ，２３ｂ，２３ｃは非接触通信機能部と制御部および情報記憶用のメモリを備える通常のものである。
【００３１】
図４の場合、アンテナ構造２２ａ，２２ｂ，２２ｃは、平面状のダイポールアンテナを示しているが、捲線コイル状のものであっても勿論構わない。ダイポールアンテナは、ベースフィルム３にラミネートされた金属箔のフォトエッチングするか、導電性印刷インキ等により印刷して形成されたものである。これら３つの非接触ＩＣタグ回路２０ａ，２０ｂ，２０ｃは実質的に同一特性であるように調整され、相互に電気的に接続されてなく、相互に干渉も生じないようにされている。
図４において、アンテナ構造（ダイポールアンテナ）の指向性は矢印Ｙ３，Ｙ４，Ｙ５で表示されている。したがって、３つの非接触ＩＣタグ回路２０ａ，２０ｂ，２０ｃは隣接回路間でその指向方向が互いに直交する配置にされているが、同一方向であっても良いものである。同一特性の非接触ＩＣタグ回路を３ないし９を連続した一枚のベースフィルム面に備えることにより、情報の冗長記録性を一層高めることができ、分散記録の場合は全体の情報量を大きくすることができる。
【００３２】
図５、図６、図７、図８、図９は、同第２実施形態の各種例を示す平面図であって、図５は同一ベースフィルム３面に４つの非接触ＩＣタグ回路を有する場合、図６は５つの非接触ＩＣタグ回路を有する場合、図７は６つの非接触ＩＣタグ回路を有する場合、図８と図９は９つの非接触ＩＣタグ回路を有する場合、を示している。
【００３３】
図５（Ａ）は、４つの非接触ＩＣタグ回路２０ａ，２０ｂ，２０ｃ，２０ｄの指向性が同一方向になるように配置した情報記録媒体２で、通信状態が安定である場合に使用することができる。この場合は、各非接触ＩＣタグ回路のＩＣチップ２３ａ，２３ｂ，２３ｃ，２３ｄに同一リーダライタからの同一情報を重複して記録し、データの確実性を高めてもよいし、情報を各非接触ＩＣタグ回路のＩＣチップに分散して記録してもよい。
【００３４】
図５（Ｂ）は、４つの非接触ＩＣタグ回路２０ａ，２０ｂ，２０ｃ，２０ｄの指向性が、交互に直交するように配置した情報記録媒体２で、通信状態の不安定性を考慮したものである。いずれの状態でも受信できる場合は、上記図５（Ａ）の使い方と同様の使用方法をできる。
【００３５】
図６は、５つの非接触ＩＣタグ回路２０ａ，２０ｂ，２０ｃ，２０ｄ，２０ｅの指向性が同一方向になるように配置した情報記録媒体２で、通信状態が安定である場合に使用することができる。この場合は、各非接触ＩＣタグ回路のＩＣチップ２３ａ，２３ｂ，２３ｃ，２３ｄ，２３ｅに同一情報を重複して記録し、データの確実性を高めてもよいし、情報を分散して記録してもよい。同一情報を記録した後には、記録した非接触ＩＣタグ回路を分断して異なる各種の用途に利用することもできる。また、図６の場合の特有の使用方法であるが、円筒状の容器や立体物の胴面に巻き付けて使用する場合にも好適な情報記録媒体になる。
【００３６】
図７は、６つの非接触ＩＣタグ回路２０ａ，２０ｂ，２０ｃ，２０ｄ，２０ｅ，２０ｆの指向方向が、交互に直交するようにマトリックス状に配置した情報記録媒体２で、通信状態の不安定性を考慮したものである。図７において、上側の３つの非接触ＩＣタグ回路２０ａ，２０ｂ，２０ｃの指向方向と下側の３つの非接触ＩＣタグ回路２０ｄ，２０ｅ，２０ｆの指向方向は逆向きになるようにされている。これにより、情報記録媒体２がどのような位置、あるいは曲面等に貼着された場合でも交信の確率を高くすることができる。いずれの状態でも受信できる場合は、上記図６の使い方と同様の使用方法をできる。
【００３７】
図８は、９つの非接触ＩＣタグ回路２０ａ，２０ｂ，２０ｃ，２０ｄ，２０ｅ，２０ｆ，２０ｇ，２０ｈ，２０ｉの指向方向が、すべて異なるように互いに４０度の間隔で円環状に配置した情報記録媒体２である。通信状態が非常に不安定な場合を考慮したもので、いずれかの非接触ＩＣタグ回路で交信を確保する目的のためのものである。
【００３８】
図９は、９つの非接触ＩＣタグ回路２０ａ，２０ｂ，２０ｃ，２０ｄ，２０ｅ，２０ｆ，２０ｇ，２０ｈ，２０ｉの指向方向が、すべて同一になるようにし、かつＩＣチップの位置が相互に等間隔になるようにマトリッスク状に配置した情報記録媒体２である。このような情報記録媒体２は、後述するように被着体（物品）に貼着して、物品の非接触リーダライタに対する進行方向を取得（識別）するために有用となるものである。もちろん、データの重複記録や分散記録する用途にも有効である。
【００３９】
本発明の情報記録媒体２は、図示した４、５、６、９の非接触ＩＣタグ回路の場合とは異なる各種の配置が可能であり、図示しない７または８の非接触ＩＣタグ回路の場合も、目的に応じて各種の配置が可能であり、各種の情報記録媒体２を実現できることは当業者には自明なことである。
【００４０】
本発明の情報記録媒体の使用方法は、上記の各種実施形態の説明と共に概略説明してきたが、以下、なお補足して説明する。
［第１の使用方法］
第１の使用方法は、同一特性の各非接触ＩＣタグ回路に同一の情報を重複して記録することである。情報処理技術におけるミラーリングに相当する記録方法である。この場合は、データに冗長性を持たせることと、通信状態が不安定であるために異なる指向方向に配置された非接触ＩＣタグ回路に対して記録し、情報記録の確実性を確保する目的のためである。この場合、同一特性の非接触ＩＣタグ回路が、同一のリーダライタの非接触通信領域に複数存在することになるので、通信のコリジョン（衝突）が生じることもあり得るが、コリジョンを排して通信する技術が確立しており、実質的には同一時間内であるが、順次、非接触ＩＣタグ回路を選択して非接触通信が行われることになる。
いずれかが読み取られれば、情報記録媒体の付された対象物や個人を特定でき、後にデータを利用する場合は、いずれか１の非接触ＩＣタグ回路からリーダライタの書き込みした情報を読み取りできれば目的が達成される。
【００４１】
［第２の使用方法］
第２の使用方法は、同一特性の各非接触ＩＣタグ回路に、情報を分散して記録することである。情報処理技術におけるストライピングに相当する記録方法である。情報処理では複数ドライブに「分散書き込みする」と表現している。この場合は、１つの非接触ＩＣタグ回路のＩＣチップの記憶容量を小さいものとしながら情報記憶媒体１または情報記憶媒体２全体としての記憶容量を大きくすることができる。リーダライタから取得する情報量の変動が大きい場合に有効に利用できる使用方法である。
「分散して記録」とは「分割して記録」と考えても同じであるが、２以上のＩＣチップのメモリに記録することである。この場合、１のＩＣチップが一杯になった際に次のＩＣチップに記録する方法と、複数あるＩＣチップに逐次一定量ずつ分散して記録していく方法とがあるがいずれであっても構わない。
【００４２】
分散記録の場合にも通信のコリジョンを生じ得るが、リーダライタは１の非接触ＩＣタグ回路を選択して交信し、当該回路からＩＣチップの記憶情報量が限界になった旨の信号を受信した場合には、次のいずれかの非接触ＩＣタグ回路を選択して交信し、順次必要な情報を記録するようにプログラムすることもできる。後に情報を利用する場合は、情報を記録した全ての非接触ＩＣタグ回路からリーダライタの書き込みした情報を読み取りして合成し、１つの大きな情報を取得することができる。
【００４３】
［第３の使用方法］
図１０は、本発明の情報記録媒体の使用方法を説明する図であるが、主として第３の使用方法に関するものである。
第３の使用方法は、同一特性の各非接触ＩＣタグ回路に、原則として同一情報を記録するが、各非接触ＩＣタグ回路のＩＣチップに記録されている固有のユニーク番号（一般には、ユニークＩＤという場合もある。）を利用する方法に関する。
一般に、非接触ＩＣタグ用のＩＣチップには、必ずチップ製造時にユニーク番号が付与される。このユニーク番号は、その名が示すようにＩＣチップ毎に固有の番号が付されていて重複した番号が無いことが原則である。また、一般的には、書き換え／消去が不可能なＲＯＭに記録されている特徴がある。
【００４４】
ユニーク番号の付与方式は、各社各様の方式があって、統一された規格があるものではないが、今後永続して使用しても重複した番号が生じないこととする観点から長大な番号を付与することが必要とされる。一例として、８バイト分＝２の６４乗通りの付与方式がされる場合がある。ＲＯＭへの記録はマスクＲＯＭで書く場合もあり、ソフト的に書換え不能にする場合もある。
【００４５】
非接触ＩＣタグや非接触ＩＣカードは、リーダライタ（Ｒ／Ｗ）端末から送られてくる電磁波が供給されることによって活電状態となる。このため、現在実用化されている非接触ＩＣタグや非接触ＩＣカードは、１３．５６ＭＨｚの電磁波の到達範囲（通信可能範囲）内に入ると自動的に活電状態となり、それと同時に非接触ＩＣタグは自己のユニーク番号をＲ／Ｗ端末に送信する。このとき、非接触ＩＣタグは、自己のユニーク番号に基づいて乱数を発生し、その値に基づいた幾つかのタイムスロットを切り、いずれかのタイムスロットの期間内にユニーク番号をＲ／Ｗ端末に送信する。
このように、Ｒ／Ｗ端末から電磁波を受けると、直ちに自己のユニーク番号をＲ／Ｗ端末へ返す方式を「全応答方式」という。
【００４６】
この「全応答方式」の場合、電磁波の到達範囲内に複数の非接触ＩＣタグがあると、それぞれが活電状態になり、自己のユニーク番号を一斉にＲ／Ｗ端末へ向けて送信すると、Ｒ／Ｗ端末側では一度に複数のユニーク番号を受信することになり、コリジョンが発生し、個々の非接触ＩＣタグを識別できなくなる。
この１３．５６ＭＨｚという周波数は、ＩＳＯによって定められたものであるが、今後この周波数を用いて非接触ＩＣタグとＲ／Ｗ端末との通信を行うシステムが増加することが予想される。その場合、Ｒ／Ｗ端末側では、異なるシステムに用いられる非接触ＩＣタグを明確に区別して、それらを排除する必要がある。
【００４７】
そこで、複数の非接触ＩＣタグが通信可能範囲内にある場合でも、コリジョンを解消して個々のＩＣタグを識別し、Ｒ／Ｗ端末との通信を確保するシステムが必要となる。
この通信確保のため、次のような規定がされているとのことである。
以下、段落００４８までは「情報処理学会ホームページ解説４６号」からの部分引用である。なお、以下において、非接触ＩＣカードを例として説明しているが、非接触ＩＣタグの場合も同様と考えることができる。
【００４８】
「２．１リーダライタのトークファースト
リーダライタが主であり、常にリーダライタの呼びかけに応じてカードが従の立場で返信するという原則がリーダライタトークファーストである。リーダライタは、選択したいカードの通信方式を指定し、さらにはカードの属性（アプリケーションの分野など）ごとに対象を絞ったコードを送出し、対応したカードのみが返信を許可される。また、個々の通信確立後も、カードは常にリーダライタからのコマンドの呼びかけに対するレスポンスとして対になって交信し、エラー時の再送要求など、カードからの自立的な発信は行わないことにしている。」
【００４９】
「２．２衝突防止機能（アンチコリジョン）
同じ固有呼び出しコードに対しても、複数のカードが同時に返信を繰り返してきて、通信不能とならないように、カードからの返信手順を制御する機能がアンリコリジョンである。これには、次のような方式がある。複数のカードが同時に異なるＩＤを返信した場合に、衝突したＩＤビット位置をリーダライタが検出して各ＩＤのカードに対して通信手順を指示する方式、カード側が返信を行う際にランダムな番号を生成して、リーダライタからの対応する番号マーカの送出を受けて返信する方式、カードがランダム番号に相当する時間経過を待って返信する方式などがある。」
【００５０】
本発明の情報記録媒体の使用方法も、上記のようなアンチコリジョン機能を使用するものであるが、第３の使用方法は上記に加えて、リーダライタ８が検出して交信を行った非接触ＩＣタグ回路のＩＣチップのユニーク番号を、リーダライタ８がその直後に同様に検出して交信した非接触ＩＣタグ回路のＩＣチップのメモリに書き込みすることを行う。
【００５１】
すなわち、図１０（Ａ）のように、情報記録媒体２に非接触ＩＣタグ回路２０ａ，２０ｂ，２０ｃがあって、非接触リーダライタ８の下を通過する場合に、非接触リーダライタ８はまず、最初に通信可能範囲に入ってきた非接触ＩＣタグ回路２０ａと交信し、そのＩＣチップのユニーク番号Ａを読み取りする。その際、先に読み取りした別の情報記録媒体のＩＣチップのユニーク番号Ｘを回路２０ａに書き込みしてもよいが、当該情報記録媒体２のＩＣチップのユニーク番号ではないことの認識に利用されるのみである。
【００５２】
次に、図１０（Ｂ）のように、情報記録媒体２の非接触ＩＣタグ回路２０ｂが通過する時点で、当該回路にユニーク番号Ａを書き込みすると同時に非接触ＩＣタグ回路２０ｂのＩＣチップのユニーク番号Ｂを読み取りする。さらに、情報記録媒体２の非接触ＩＣタグ回路２０ｃが通過する時点で、当該回路２０ｃにユニーク番号Ｂを書き込みすると同時に非接触ＩＣタグ回路２０ｃのＩＣチップのユニーク番号Ｃを読み取りする。
このような操作を１の情報記録媒体２の複数の非接触ＩＣタグ回路の各ＩＣチップに対して順次行えば、後に、非接触ＩＣタグ回路の各ＩＣチップのメモリ内容からユニーク番号を読み取りして、リーダライタ８が交信した順序を解析することが可能となる。
【００５３】
［第４の使用方法］
第４の使用方法は、請求項１５にかかる発明であるが、本発明の情報記録媒体２が貼着された被着体（物品）の非接触リーダライタ８に対する進行方向を取得するための方法である。基本的には、上記第３の使用方法を利用するもので、非接触リーダライタ８により各ＩＣチップに記録されたユニーク番号を事後的に解析することで被着体（物品）の進行方向を取得するものである。事後といってもコンピュータによる情報処理によって、実質的に直後の解析が可能である。
【００５４】
例えば、通常の被着体（物品）の搬送速度では、リーダライタ８は通信可能範囲内に入ってくる非接触ＩＣタグ回路の順に交信するので、本発明の情報記録媒体２内の非接触ＩＣタグ回路の交信順序をユニーク番号の解析により、当該情報記録媒体２が付された被着体（物品）のリーダライタ８に対する進行方向を調べることができる。進行方向の直線下にない非接触ＩＣタグ回路のＩＣチップにも書き込みがされるが、接近した順に書き込みすることを原則として、方向性を確認することができる。この場合は実質的にも同時に記録する必要はない。
【００５５】
このような目的のためには、情報記録媒体が２ないし９、好ましくは５ないし９の非接触ＩＣタグ回路が直線状またはマトリックス状に配置されたものを使用するのが好適である。直線状の配置でも、一列方向の識別は可能である。しかし、最初から進行方向が不特定の場合は５ないし９の非接触ＩＣタグ回路をマトリックス状に配置したものが好ましくなる。なお、ユニーク番号の記録に変えて、非接触リーダライタが書き込みをした時刻を記録するものであっても進行方向の取得は可能である。ただし、この場合はリーダライタが時刻を識別し送信する機能が必要になる。被着体（物品）の進行方向の管理は製品の製造過程において誤った処理がされたものを排除したり、適切な流通管理を行う上において重要な意義を有することが多い。
【００５６】
次に、本発明の情報記録媒体の製造工程について説明する。本発明の情報記録媒体は、通常の非接触ＩＣタグの製造工程で製造できるが、多面付けの状態を変化させたりして製品化する特徴がある。非接触ＩＣタグ回路の配置や方向は、フォトエッチングによる製造の場合は、主としてフォトマスク製造の段階で調整することができる。
【００５７】
まず、ベースフィルム３にアンテナ構造１２，２２をフォトエッチングや印刷等の工程で製造する。フォトエッチングの場合は、目的の情報記録媒体１，２の形態のフォトマスクを準備する。ベースフィルム３には通常、アルミニュウムまたは銅箔をラミネートした基材を使用する。アンテナ構造が平面コイル状の場合、コイル線幅は、通常０．２ｍｍから１．０ｍｍ程度の範囲に形成する。このようなアンテナ構造を必要なＩＣタグ回路の数に応じてベースフィルム３面に形成する。次に、当該アンテナ構造１２，２２の両端ｔ１，ｔ２にＩＣチップ１３，２３を結合する。必要により、ＩＣチップ１３，２３を結合したベースフィルム３のアンテナ構造面にプラスチックフィルムまたは紙からなる表面基材４をラミネートする。ベースフィルム３のアンテナ構造とは反対側の面に、剥離紙７に粘着剤層６を設けて貼り付けする。
【００５８】
＜材質に関する実施形態＞
（１）ベースフィルム
プラスチックフィルムを幅広く各種のものを使用できる。プラスチックフィルムとしては、以下に挙げる単独フィルムあるいはそれらの複合フィルムを使用できる。
ポリエチレンテレフタレート（ＰＥＴ）、ＰＥＴ−Ｇ（テレフタル酸−シクロヘキサンジメタノール−エチレングリコール共重合体）、ポリ塩化ビニル、塩化ビニル−酢酸ビニル共重合体、ポリカーボネート、ポリアミド、ポリイミド、セルロースジアセテート、セルローストリアセテート、ポリスチレン系、ＡＢＳ、ポリアクリル酸エステル、ポリプロピレン、ポリエチレン、ポリウレタン、等である。
【００５９】
（２）表面基材
プラスチックフィルムや紙基材を幅広く各種のものを使用できる。                    プラスチックフィルムとしてはベースフィルムと同様に、上記した各種の材料を使用でき、紙基材としては、上質紙、コート紙、クラフト紙、グラシン紙、合成紙、ラテックスやメラミン含浸紙、等を使用できる。
【００６０】
（３）接着剤、粘着剤
本明細書で接着剤という場合は、溶剤型や重合型、紫外線硬化型、エマルジョン型、熱溶融型等の各種のものをいい、いわゆる粘着剤型のものをも含むものとする。いずれであっても、双方の材料間を接着すれば目的を達成できるからである。
また、本明細書で粘着剤という場合は、徐々に粘度が顕著に上昇することなく、いつまでも中間的なタック状態を保つものをいうものとする。
接着剤、粘着剤の樹脂組成物としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。
【実施例１】
【００６１】
以下、実際の実施形態について実施例を用いて説明する。
（第１実施形態の情報記録媒体の製造）
情報記録媒体１のベースフィルム３として、厚み３８μｍの透明２軸延伸ポリエステルフィルムに２５μｍ厚のアルミニュウム箔をドライラミネートした基材を使用し、これに感光性レジストを塗布した後、２つの平面コイル状のアンテナ構造１２ａ，１２ｂを有するフォトマスクを露光して感光させた。露光現像後、フォトエッチングして、図１のような非接触ＩＣタグ回路１０ａ，１０ｂを有するベースフィルム３が完成した。なお、１の平面コイルの外形が、ほぼ４５ｍｍ×７６ｍｍの大きさとなるようにした。
【００６２】
上記ベースフィルム３の双方の平面コイルの両端部ｔ１，ｔ２に、平面サイズが１．０ｍｍ角、厚み１５０μｍであるＩＣチップ１３ａ，１３ｂをフェイスダウンの状態で熱圧をかけて装着した。この情報記録媒体１のＩＣタグ回路１０ａ，１０ｂ形成面側のベースフィルム３面に接着剤層５を介してコート紙を表面基材４としてラミネートした。
最後にベースフィルム３の背面に、１２μｍの粘着剤層６を介して剥離紙７を積層する粘着剤加工を行い、大きさ９２ｍｍ×１５５ｍｍに断裁して剥離紙付き情報記録媒体１を完成した。
【００６３】
実施例１の情報記録媒体１に対して、８ｃｍ離れた位置から非接触ＩＣタグ回路に対する書き込み読み取り試験をＩＣタグリーダライタ（株式会社ウェルトキャット製「ＲＣＴ−２００−０１」；１３．５６ＭＨｚ）を使用して行ったところ、双方の非接触ＩＣタグ回路１０ａ，１０ｂのＩＣチップ１３ａ，１３ｂに対して、同一の情報が記録されていることが確認できた。
【実施例２】
【００６４】
（第２実施形態の情報記録媒体の製造）
情報記録媒体２のベースフィルム３として、厚み３８μｍの透明２軸延伸ポリエステルフィルムに２５μｍ厚のアルミニュウム箔をドライラミネートした基材を使用し、これに感光性レジストを塗布した後、９の平面コイル状のアンテナ構造をマトリックス状に配置したフォトマスクを露光して感光させた。露光現像後、フォトエッチングして、図９のような形態の非接触ＩＣタグ回路２０ａ，２０ｂ，２０ｃ，２０ｄ，２０ｅ，２０ｆ，２０ｇ，２０ｈ，２０ｉを有するベースフィルム３が完成した。なお、１の平面コイルの外形が、ほぼ１７ｍｍ×４５ｍｍの大きさとなるようにした。
【００６５】
上記ベースフィルム３の各平面コイルの両端部ｔ１，ｔ２に、平面サイズが１．０ｍｍ角、厚み１５０μｍであるＩＣチップ２３ａ，２３ｂ，２３ｃ，２３ｄ，２３ｅ，２３ｆ，２３ｇ，２３ｈ，２３ｉをフェイスダウンの状態で熱圧をかけて装着した。このベースフィルム３の非接触ＩＣタグ回路形成面側のベースフィルム３面に接着剤層５を介してコート紙を表面基材４としてラミネートした。
最後にベースフィルム３の背面に、１２μｍの粘着剤層６を介して剥離紙７を積層する粘着剤加工を行い、全体の大きさを１４０ｍｍ×１４０ｍｍに断裁して剥離紙付き情報記録媒体２を完成した。
【００６６】
実施例２の情報記録媒体２を被着体（物品）に貼着して、搬送ベルト上を１０ｃｍ／秒の速度で搬送し、１０ｃｍ離れた位置から各非接触ＩＣタグ回路に対する書き込み読み取り試験をＩＣタグリーダライタ（株式会社ウェルトキャット製「ＲＣＴ−２００−０１」；１３．５６ＭＨｚ）を使用して行ったところ、いずれの非接触ＩＣタグ回路の各ＩＣチップに対しても支障なく書き込み読み取りできることが確認された。
また、リーダライタが先に読み取りしたＩＣチップのユニーク番号を読み取りし、当該ユニーク番号を次に交信したＩＣチップに記録するプログラムを作成し、実行させたところ適切に読み取り書き込みがされることが確認された。
【図面の簡単な説明】
【００６７】
【図１】本発明の情報記録媒体の第１実施形態の例を示す平面図である。
【図２】図１の断面図である。
【図３】第１実施形態の他の例を示す平面図である。
【図４】第２実施形態の各種例を示す平面図である。
【図５】第２実施形態の各種例を示す平面図である。
【図６】第２実施形態の各種例を示す平面図である。
【図７】第２実施形態の各種例を示す平面図である。
【図８】第２実施形態の各種例を示す平面図である。
【図９】第２実施形態の各種例を示す平面図である。
【図１０】本発明の情報記録媒体の使用方法を説明する図である。
【符号の説明】
【００６８】
１    情報記録媒体（第１実施形態）
２    情報記録媒体（第２実施形態）
３    ベースフィルム
４    表面基材
５    接着剤層
６    粘着剤層
７    剥離紙
８    リーダライタ
１０ａ，１０ｂ，１０ｃ，・・  非接触ＩＣタグ回路
２０ａ，２０ｂ，２０ｃ，・・  非接触ＩＣタグ回路
１２、１２ａ，１２ｂ，・・  アンテナ構造
２２、２２ａ，２２ｂ，・・  アンテナ構造
１３，１３ａ，１３ｂ，１３ｃ，・・  ＩＣチップ
２３，２３ａ，２３ｂ，２３ｃ，・・  ＩＣチップ
【図１】
2006330961.tif 000003
【図２】
2006330961.tif 000004
【図３】
2006330961.tif 000005
【図４】
2006330961.tif 000006
【図５】
2006330961.tif 000007
【図６】
2006330961.tif 000008
【図７】
2006330961.tif 000009
【図８】
2006330961.tif 000010
【図９】
2006330961.tif 000011
【図１０】
2006330961.tif 000012